【手続補正書】
【提出日】平成19年7月12日(2007.7.12)
【手続補正１】
【補正対象書類名】明細書
【補正対象項目名】特許請求の範囲
【補正方法】変更
【補正の内容】
【特許請求の範囲】
【請求項１】  複数の表示素子と、
これら複数の表示素子の像をスクリーン上に投影して全体として一枚の画像を生成するべく、各表示素子に対応して配置された拡大投影光学系と、
上記複数の表示素子に各対応する複数の拡大投影光学系を連結する連結部位と、
を具備し、
上記拡大投影光学系は、当該拡大投影光学系の光軸に対し傾いて配置された反射面を少なくとも１つ含む複数の反射面を有して構成されたプリズムを備えたものであり、
上記複数の拡大投影光学系と連結部位とは一体成形されたものであることを特徴とする画像表示装置。
【請求項２】  上記連結部位は、各拡大投影光学系の、光学的作用面以外の面を連結するものであることを特徴とする請求項１に記載の画像表示装置。
【請求項３】  上記表示素子の像を上記拡大投影光学系によりスクリーン上に投影した画像ブロックは、その周縁部が隣接する画像ブロックの周縁部と互いに重畳されており、
この重畳領域における画像の連続性を保つように上記表示素子に供給する画像信号の電気的な補正を行う画像信号補正手段をさらに具備したことを特徴とする請求項１に記載の画像表示装置。
【請求項４】  複数の表示素子と、
これら複数の表示素子に各対応して配置され、該表示素子の像をスクリーン上に画像ブロックとして投影し、かつ一画像ブロックの周縁部が隣接する他の画像ブロックの周縁部と互いに重畳されるように投影することで、全体として統一された一枚の画像を生成する拡大投影光学系と、
上記画像ブロック同士の重畳領域における画像の連続性を保つように上記表示素子に供給する画像信号の電気的な補正を行う画像信号補正手段と、
を具備し、
上記拡大投影光学系は、上記重畳領域に入射する一画像ブロックに係る光束とこれに隣接する他の画像ブロックに係る光束とを合成した光束のスクリーン上におけるＮＡと、非重畳領域に入射する光束のスクリーン上におけるＮＡと、が略等しくなるように構成されたものであることを特徴とする画像表示装置。
【請求項５】  上記重畳領域に入射する、一画像ブロックに係る光束と、これに隣接する他の画像ブロックに係る光束とは、互いに重複することなく、かつ光束が通過しない領域を含むことなく、一光束に合成されることを特徴とする請求項４に記載の画像表示装置。
【請求項６】  非重畳領域に入射する光束と、上記重畳領域に入射する合成された光束とは、何れも、その中心光がスクリーン面に対して略垂直となるように入射するものであることを特徴とする請求項４に記載の画像表示装置。
【請求項７】  上記拡大投影光学系は、上記重畳領域に入射する一画像ブロックに係る光束が、画像ブロックの周辺に近づくに従って、ＮＡが小さくなり、かつ該光束の主光線が画像ブロック周辺方向に傾くように構成されたものであることを特徴とする請求項４に記載の画像表示装置。
【請求項８】  上記拡大投影光学系は、
画像ブロックの周辺に近づくに従って主光線が画像ブロック周辺方向に傾くように、周辺に近づくに従ってパワーが小さくなるよう構成された光学素子と、
画像ブロックの周辺に近づくに従ってＮＡが小さくなるように、画像ブロックの周辺光量を調整する絞りと、
を有してなるものであることを特徴とする請求項７に記載の画像表示装置。
【請求項９】  上記拡大投影光学系は、
上記光学素子によるディストーションを補正するための第２の光学素子をさらに有してなるものであることを特徴とする請求項８に記載の画像表示装置。
【請求項１０】  上記絞りは、
画像ブロック全体の明るさを規定する第２の絞りと、
この第２の絞りよりも表示素子側となる光路上に配置された、各画素に係る光束の内側をけるための第１の絞りと、
上記第２の絞りよりもスクリーン側となる光路上に配置された、各画素に係る光束の外側をけるための第３の絞りと、
を有してなるものであることを特徴とする請求項８に記載の画像表示装置。
【手続補正２】
【補正対象書類名】明細書
【補正対象項目名】００１９
【補正方法】変更
【補正の内容】
【００１９】
【課題を解決するための手段】
上記の目的を達成するために、第１の発明による画像表示装置は、複数の表示素子と、
これら複数の表示素子の像をスクリーン上に投影して全体として一枚の画像を生成するべく、各表示素子に対応して配置された拡大投影光学系と、上記複数の表示素子に各対応する複数の拡大投影光学系を連結する連結部位と、を具備し、上記拡大投影光学系は、当該拡大投影光学系の光軸に対し傾いて配置された反射面を少なくとも１つ含む複数の反射面を有して構成されたプリズムを備えたものであり、上記複数の拡大投影光学系と連結部位とは一体成形されたものである。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】変更
【補正の内容】
【００２２】
第２の発明による画像表示装置は、上記第１の発明による画像表示装置において、上記連結部位が、各拡大投影光学系の光学的作用面以外の面を連結するものである。
【手続補正６】
【補正対象書類名】明細書
【補正対象項目名】００２３
【補正方法】変更
【補正の内容】
【００２３】
第３の発明による画像表示装置は、上記第１の発明による画像表示装置において、上記表示素子の像を上記拡大投影光学系によりスクリーン上に投影した画像ブロックはその周縁部が隣接する画像ブロックの周縁部と互いに重畳されており、この重畳領域における画像の連続性を保つように上記表示素子に供給する画像信号の電気的な補正を行う画像信号補正手段をさらに備えたものである。
【手続補正７】
【補正対象書類名】明細書
【補正対象項目名】００２４
【補正方法】変更
【補正の内容】
【００２４】
第４の発明による画像表示装置は、複数の表示素子と、これら複数の表示素子に各対応して配置され該表示素子の像をスクリーン上に画像ブロックとして投影しかつ一画像ブロックの周縁部が隣接する他の画像ブロックの周縁部と互いに重畳されるように投影することで全体として統一された一枚の画像を生成する拡大投影光学系と、上記画像ブロック同士の重畳領域における画像の連続性を保つように上記表示素子に供給する画像信号の電気的な補正を行う画像信号補正手段と、を備え、上記拡大投影光学系は、上記重畳領域に入射する一画像ブロックに係る光束とこれに隣接する他の画像ブロックに係る光束とを合成した光束のスクリーン上におけるＮＡと、非重畳領域に入射する光束のスクリーン上におけるＮＡと、が略等しくなるように構成されたものである。
【手続補正８】
【補正対象書類名】明細書
【補正対象項目名】００２５
【補正方法】変更
【補正の内容】
【００２５】
第５の発明による画像表示装置は、上記第４の発明による画像表示装置において、上記重畳領域に入射する一画像ブロックに係る光束とこれに隣接する他の画像ブロックに係る光束とは、互いに重複することなく、かつ光束が通過しない領域を含むことなく、一光束に合成されるものである。
【手続補正９】
【補正対象書類名】明細書
【補正対象項目名】００２６
【補正方法】変更
【補正の内容】
【００２６】
第６の発明による画像表示装置は、上記第４の発明による画像表示装置において、非重畳領域に入射する光束と、上記重畳領域に入射する合成された光束とは、何れも、その中心光がスクリーン面に対して略垂直となるように入射するものである。
【手続補正１０】
【補正対象書類名】明細書
【補正対象項目名】００２７
【補正方法】変更
【補正の内容】
【００２７】
第７の発明による画像表示装置は、上記第４の発明による画像表示装置において、上記拡大投影光学系が、上記重畳領域に入射する一画像ブロックに係る光束が画像ブロックの周辺に近づくに従ってＮＡが小さくなりかつ該光束の主光線が画像ブロック周辺方向に傾くように構成されたものである。
【手続補正１１】
【補正対象書類名】明細書
【補正対象項目名】００２８
【補正方法】変更
【補正の内容】
【００２８】
第８の発明による画像表示装置は、上記第７の発明による画像表示装置において、上記拡大投影光学系が、画像ブロックの周辺に近づくに従って主光線が画像ブロック周辺方向に傾くように周辺に近づくに従ってパワーが小さくなるよう構成された光学素子と、画像ブロックの周辺に近づくに従ってＮＡが小さくなるように画像ブロックの周辺光量を調整する絞りと、を有してなるものである。
【手続補正１２】
【補正対象書類名】明細書
【補正対象項目名】００２９
【補正方法】変更
【補正の内容】
【００２９】
第９の発明による画像表示装置は、上記第８の発明による画像表示装置において、上記拡大投影光学系が、上記光学素子によるディストーションを補正するための第２の光学素子をさらに有してなるものである。
【手続補正１３】
【補正対象書類名】明細書
【補正対象項目名】００３０
【補正方法】変更
【補正の内容】
【００３０】
第１０の発明による画像表示装置は、上記第８の発明による画像表示装置において、上記絞りが、画像ブロック全体の明るさを規定する第２の絞りと、この第２の絞りよりも表示素子側となる光路上に配置された各画素に係る光束の内側をけるための第１の絞りと、上記第２の絞りよりもスクリーン側となる光路上に配置された各画素に係る光束の外側をけるための第３の絞りと、を有してなるものである。